(57)【要約】【課題】  省力化に寄与し、駐輪場の営業時間を延長しても人件費が増加せず、２４時間いつでも入出場可能な状況下においても、盗難事件、青少年の非行化を防ぎ、不正利用及び盗難の防止に多大な効果を発揮するだけでなく、駐輪場の使用料の支払方法などを容易かつ迅速にし、さらには、遠隔集中管理をも可能とする駐輪場システムを提供する。【解決手段】  駐輪場運用コンピュータ２と、車体情報読取装置３ａ、第一の利用者情報読取装置３ｂ、第二の利用者情報読取装置４ａのそれぞれが相互に通信可能とされ、かつ駐輪場運用コンピュータ２と精算機３とがネットワーク８を介して相互に通信可能とされ、駐輪場運用コンピュータ２は、利用者判定処理部と、車用ゲート開閉制御部と、利用者特定処理部と、利用者専用ゲート開閉制御部と、駐輪場利用者情報データベースとを備えている駐輪場システム１などにより課題を達成した。【選択図】      図１
2006154932.tif 000002
【特許請求の範囲】
【請求項１】
駐輪場の出入口に設置されたゲートの開閉により、該駐輪場の利用者及び該駐輪場への駐輪前後の自転車又は二輪車の入出場を管理する駐輪場システムであって、
前記駐輪場を運用する駐輪場運用コンピュータと、前記駐輪場の利用者及び前記駐輪場への駐輪前後の自転車又は二輪車の通過する車用ゲートの手前に設けられ、該自転車又は該二輪車に取り付けられた車体識別手段に記録された情報を読み取る車体情報読取装置と、該車用ゲートの手前に設けられ、該利用者の所持する利用者識別手段に記録された情報を読み取る第一の利用者情報読取装置と、前記駐輪場の利用者が単独で通過する利用者専用ゲートの手前に設けられ、該利用者の所持する利用者識別手段に記録された情報を読み取る第二の利用者情報読取装置と、前記駐輪場を利用することが可能である有効期限を更新する処理を行う精算機と、前記駐輪場を利用する利用者に関する情報を記憶した駐輪場利用者情報データベースとを有し、
前記車体情報読取装置、前記第一の利用者情報読取装置、前記第二の利用者情報読取装置、前記駐輪場利用者情報データベースのそれぞれが、前記駐輪場運用コンピュータと相互に通信可能とされ、かつ前記駐輪場運用コンピュータと前記精算機とがネットワークを介して相互に通信可能とされ、
前記駐輪場運用コンピュータは、前記車体情報読取装置によって読み取られた情報と、前記第一の利用者情報読取装置によって読み取られた情報とに基づき、前記自転車又は前記二輪車と前記利用者の組み合わせが適正であるか判定し、前記車用ゲートの開閉を決定する利用者判定処理部と、
前記利用者判定処理部からの指令により、前記車用ゲートの開閉を制御する車用ゲート開閉制御部と、
前記第二の利用者情報読取装置によって読み取られた情報に基づき、前記利用者を特定し、前記利用者専用ゲートの開閉を決定する利用者特定処理部と、
前記利用者特定処理部からの指令により、前記利用者専用ゲートの開閉を制御する利用者専用ゲート開閉制御部と
を備えていることを特徴とする駐輪場システム。
【請求項２】
駐輪場の出入口に設置されたゲートの開閉により、該駐輪場の利用者及び該駐輪場への駐輪前後の自転車又は二輪車の入出場を管理する駐輪場システムであって、
前記駐輪場を運用する駐輪場運用コンピュータと、前記駐輪場の利用者及び前記駐輪場への駐輪前後の自転車若しくは二輪車又は前記駐輪場の利用者の通過する通過ゲートの手前に設けられ、該自転車又は該二輪車に取り付けられた車体識別手段に記録された情報を読み取る車体情報読取装置と、該通過ゲートの手前に設けられ、該利用者の所持する利用者識別手段に記録された情報を読み取る利用者情報読取装置と、前記駐輪場を利用することが可能である有効期限を更新する処理を行う精算機と、前記駐輪場を利用する利用者に関する情報を記憶した駐輪場利用者情報データベースとを有し、
前記車体情報読取装置と、前記利用者情報読取装置、前記駐輪場利用者情報データベースのそれぞれが、前記駐輪場運用コンピュータと相互に通信可能とされ、かつ前記駐輪場運用コンピュータと前記精算機とがネットワークを介して相互に通信可能とされ、
前記駐輪場運用コンピュータは、前記車体情報読取装置によって読み取られた情報と、前記利用者情報読取装置によって読み取られた情報とに基づき、前記自転車又は前記二輪車と前記利用者の組み合わせが適正であるか判定し、前記通過ゲートの開閉を決定する利用者判定処理部と、
前記利用者情報読取装置によって読み取られた情報に基づき、前記利用者を特定し、前記通過ゲートの開閉を決定する利用者特定処理部と、
前記利用者判定処理部又は前記利用者特定処理部からの指令により、前記通過ゲートの開閉を制御する通過ゲート開閉制御部と
を備えていることを特徴とする駐輪場システム。
【請求項３】
前記精算機は、前記駐輪場を利用することが可能である有効期限を記憶した利用者識別手段に記録された情報を、該利用者識別手段の下方で読み取る更新情報読み取り部を備えていることを特徴とする請求項１又は２に記載の駐輪場システム。
【請求項４】
前記駐輪場システムは、前記駐輪場の利用者及び／又は前記駐輪場への駐輪前後の自転車又は二輪車の入出場に関する情報を記録し、前記精算機と連動して前記駐輪場を利用することが可能である有効期限に関する情報を記録し、管理するデータセンタサーバをさらに有し、
前記データセンタサーバと、前記駐輪場運用コンピュータと、前記精算機とが、ネットワークを介して相互に交信可能とされていることを特徴とする請求項１乃至３のいずれか一つの項に記載の駐輪場システム。
【請求項５】
前記データセンタサーバは、前記有効期限に関する情報及び前記入出場に関する情報を記録する駐輪場運用データベースを備えていることを特徴とする請求項４に記載の駐輪場システム。
【請求項６】
前記駐輪場システムは、前記駐輪場を管理し、監視する管理センタサーバをさらに有し、
前記管理センタサーバと、前記駐輪場運用コンピュータと、前記データセンタサーバと、前記精算機とが、ネットワークを介して相互に交信可能とされ、
前記管理センタサーバは、前記駐輪場の利用者に関する情報と前記駐輪場を利用することが可能である有効期限に関する情報を含む駐輪場利用者情報を記録し、管理する駐輪場利用者情報管理部を備えていることを特徴とする請求項１乃至５のいずれか一つの項に記載の駐輪場システム。
【請求項７】
前記管理センタサーバは、さらに、前記駐輪場の出入口に設置されたゲートの開閉状況を記録し、管理する駐輪場情報管理部を備えていることを特徴とする請求項６に記載の駐輪場システム。
【請求項８】
前記管理センタサーバは、さらに、前記駐輪場運用コンピュータ及び／又は前記データセンタサーバの障害を検知する障害検知部を備えていることを特徴とする請求項６又は７に記載の駐輪場システム。
【請求項９】
前記管理センタサーバは、さらに、前記駐輪場の出入口に設置されたゲートを遠隔操作で開閉するゲート遠隔操作部を備えていることを特徴とする請求項８に記載の駐輪場システム。
【請求項１０】
前記管理センタサーバは、さらに、前記駐輪場運用コンピュータ及び／又は前記データセンタサーバの障害の内容を確認し、障害に対応する障害対応部を備えていることを特徴とする請求項８又は９に記載の駐輪場システム。
【発明の詳細な説明】
【技術分野】
【０００１】
本発明は、駐輪場の出入口に設置されたゲートの開閉により、駐輪場の利用者及び駐輪場への駐輪前後の自転車又は二輪車の入出場を管理する駐輪場システムに関する。
【背景技術】
【０００２】
従来、駐輪場の入出場の管理は、手書きによる顧客情報に基づいて管理者が目視して確認するという有人対応が多かった。
【０００３】
また、特許文献１には、駐輪場の出口には回転扉と出口用開閉扉が備えられ、利用者だけなら回転扉から自由に退場することができるものの、正規のプリペイドカード等を自動料金徴収機にセットしなければ、出口用開閉扉が開かないため、自転車等を持ち出すことができず、駐輪場の入口には入口用開閉扉が備えられ、自転車等を入口から不正に持ち出そうとしても、超音波センサがこの利用者を検知し、入口用開閉扉が自動的に閉まる駐輪場用自動扉が開示されている。
【特許文献１】特開平９−１０５１１７号公報
【発明の開示】
【発明が解決しようとする課題】
【０００４】
しかしながら、管理人を日中常駐させ、目視確認によって入出場の管理を行うシステムでは、利用者のニーズに伴い、駐輪場の営業時間を延長すればする程、人件費も増大することになり、駐輪場の経営を圧迫するという問題がある。特に、２４時間入出場が可能である駐輪場では、深夜まで管理人を常駐させれば人件費が膨大となるため、通常、深夜帯には管理人を配置しないことから、誰でも入出場が可能となって、駐輪場内における自転車及び二輪車の盗難事件が発生し易くなるだけでなく、駐輪場内が青少年の溜まり場となって、青少年の非行化を助長することになるという問題もある。
【０００５】
ここで、予めデータが入力された利用者カード又はＲＦＩＤを利用して駐輪場の入出場を管理すれば、利用者や自転車又は二輪車の自動認識が可能になるが、複数台の自転車又は二輪車の出場や他人の自転車又は二輪車の出場を防止することができないという問題がある。
【０００６】
また、予めデータが入力された利用者カード又はＲＦＩＤを利用して駐輪場の入出場を管理しても、顧客データベースとの連携が確立されていないため、駐輪場の使用料の決済に関しては有人対応のままであるという問題もある。
【０００７】
さらに、従来の駐輪場におけるセキュリティチェックは入場のみで、出場の際はセキュリティチェックをしないため、駐輪場から自転車又は二輪車を盗み出すことは可能であり、自転車又は二輪車の盗難が発生しやすいなどの問題がある。
【０００８】
一方、特許文献１に記載された駐輪場用自動扉は、無人有料駐輪場の不正利用を効果的に防止することができるという点で有効であるが、駐輪場から出場する度毎に、金銭、コイン又はプリペイドカードを自動料金徴収機にセットする必要があるため、駐輪場からの出場方法や駐輪場の使用料の支払方法が煩雑であるという課題がある。
【０００９】
本発明の目的とするところは、省力化に寄与し、利用者のニーズにより駐輪場の営業時間を延長したとしても人件費が増加せず、２４時間いつでも入出場が可能である状況下であっても、人件費のみならず、駐輪場内における盗難事件や青少年の非行化をなくし、不正利用及び盗難の防止に多大な効果を発揮するだけでなく、駐輪場からの出場方法や駐輪場の使用料の支払方法も容易かつ迅速にし、さらには、遠隔集中管理をも可能とする駐輪場システムを提供するものである。
【課題を解決するための手段】
【００１０】
本発明者は、前記課題を解決するため、様々な検討を重ねた結果、駐輪場運用コンピュータと、車体情報読取装置と、第一の利用者情報読取装置と、第二の利用者情報読取装置と、精算機とを有し、車体情報読取装置、第一の利用者情報読取装置、第二の利用者情報読取装置のそれぞれが、駐輪場運用コンピュータと相互に通信可能とされ、かつ駐輪場運用コンピュータと精算機とがネットワークを介して相互に通信可能とされ、駐輪場運用コンピュータは、利用者判定処理部と、車用ゲート開閉制御部と、利用者特定処理部と、利用者専用ゲート開閉制御部を備えている駐輪場システムが上記目的を達成することを見出し、本発明をするに至った。
【００１１】
即ち、本発明の第一の駐輪場システムは、駐輪場の出入口に設置されたゲートの開閉により、該駐輪場の利用者及び該駐輪場への駐輪前後の自転車又は二輪車の入出場を管理する駐輪場システムであって、前記駐輪場を運用する駐輪場運用コンピュータと、前記駐輪場の利用者及び前記駐輪場への駐輪前後の自転車又は二輪車の通過する車用ゲートの手前に設けられ、該自転車又は該二輪車に取り付けられた車体識別手段に記録された情報を読み取る車体情報読取装置と、該車用ゲートの手前に設けられ、該利用者の所持する利用者識別手段に記録された情報を読み取る第一の利用者情報読取装置と、前記駐輪場の利用者が単独で通過する利用者専用ゲートの手前に設けられ、該利用者の所持する利用者識別手段に記録された情報を読み取る第二の利用者情報読取装置と、前記駐輪場を利用することが可能である有効期限を更新する処理を行う精算機と、前記駐輪場を利用する利用者に関する情報を記憶した駐輪場利用者情報データベースを有し、前記車体情報読取装置、前記第一の利用者情報読取装置、前記第二の利用者情報読取装置、前記駐輪場利用者情報データベースのそれぞれが、前記駐輪場運用コンピュータと相互に通信可能とされ、かつ前記駐輪場運用コンピュータと前記精算機とがネットワークを介して相互に通信可能とされ、前記駐輪場運用コンピュータは、前記車体情報読取装置によって読み取られた情報と、前記第一の利用者情報読取装置によって読み取られた情報とに基づき、前記自転車又は前記二輪車と前記利用者の組み合わせが適正であるか判定し、前記車用ゲートの開閉を決定する利用者判定処理部と、前記利用者判定処理部からの指令により、前記車用ゲートの開閉を制御する車用ゲート開閉制御部と、前記第二の利用者情報読取装置によって読み取られた情報に基づき、前記利用者を特定し、前記利用者専用ゲートの開閉を決定する利用者特定処理部と、前記利用者特定処理部からの指令により、前記利用者専用ゲートの開閉を制御する利用者専用ゲート開閉制御部とを備えている。
【００１２】
また、本発明の第二の駐輪場システムは、駐輪場の出入口に設置されたゲートの開閉により、該駐輪場の利用者及び該駐輪場への駐輪前後の自転車又は二輪車の入出場を管理する駐輪場システムであって、前記駐輪場を運用する駐輪場運用コンピュータと、前記駐輪場の利用者及び前記駐輪場への駐輪前後の自転車若しくは二輪車又は前記駐輪場の利用者の通過する通過ゲートの手前に設けられ、該自転車又は該二輪車に取り付けられた車体識別手段に記録された情報を読み取る車体情報読取装置と、該通過ゲートの手前に設けられ、該利用者の所持する利用者識別手段に記録された情報を読み取る利用者情報読取装置と、前記駐輪場を利用することが可能である有効期限を更新する処理を行う精算機と、前記駐輪場を利用する利用者に関する情報を記憶した駐輪場利用者情報データベースを有し、前記車体情報読取装置と、前記利用者情報読取装置、前記駐輪場利用者情報データベースのそれぞれが、前記駐輪場運用コンピュータと相互に通信可能とされ、かつ前記駐輪場運用コンピュータと前記精算機とがネットワークを介して相互に通信可能とされ、前記駐輪場運用コンピュータは、前記車体情報読取装置によって読み取られた情報と、前記利用者情報読取装置によって読み取られた情報とに基づき、前記自転車又は前記二輪車と前記利用者の組み合わせが適正であるか判定し、前記通過ゲートの開閉を決定する利用者判定処理部と、前記利用者情報読取装置によって読み取られた情報に基づき、前記利用者を特定し、前記通過ゲートの開閉を決定する利用者特定処理部と、前記利用者判定処理部又は前記利用者特定処理部からの指令により、前記通過ゲートの開閉を制御する通過ゲート開閉制御部とを備えている。
【００１３】
本発明の駐輪場システムにおいて、前記精算機は、前記駐輪場を利用することが可能である有効期限を記憶した利用者識別手段に記録された情報を、該利用者識別手段の下方で読み取る更新情報読み取り部を備えていることが好ましい。
【００１４】
本発明の駐輪場システムにおいて、前記駐輪場システムは、前記駐輪場の利用者及び／又は前記駐輪場への駐輪前後の自転車又は二輪車の入出場に関する情報を記録し、前記精算機と連動して前記駐輪場を利用することが可能である有効期限に関する情報を記録し、管理するデータセンタサーバをさらに有し、前記データセンタサーバと、前記駐輪場運用コンピュータと、前記精算機とが、ネットワークを介して相互に交信可能とされていることが好ましい。
【００１５】
本発明の駐輪場システムにおいて、前記データセンタサーバは、前記有効期限に関する情報及び前記入出場に関する情報を記録する駐輪場運用データベースを備えていることが好ましい。
【００１６】
本発明の駐輪場システムにおいて、前記駐輪場システムは、前記駐輪場を管理し、監視する管理センタサーバをさらに有し、前記管理センタサーバと、前記駐輪場運用コンピュータと、前記データセンタサーバと、前記精算機とが、ネットワークを介して相互に交信可能とされ、前記管理センタサーバは、前記駐輪場の利用者に関する情報と前記駐輪場を利用することが可能である有効期限に関する情報を含む駐輪場利用者情報を記録し、管理する駐輪場利用者情報管理部を備えていることが好ましい。
【００１７】
本発明の駐輪場システムにおいて、前記管理センタサーバは、さらに、前記駐輪場の出入口に設置されたゲートの開閉状況を記録し、管理する駐輪場情報管理部を備えていることが好ましい。
【００１８】
本発明の駐輪場システムにおいて、前記管理センタサーバは、さらに、前記駐輪場運用コンピュータ及び／又は前記データセンタサーバの障害を検知する障害検知部を備えていることが好ましい。
【００１９】
本発明の駐輪場システムにおいて、前記管理センタサーバは、さらに、前記駐輪場の出入口に設置されたゲートを遠隔操作で開閉するゲート遠隔操作部を備えていることが好ましい。
【００２０】
本発明の駐輪場システムにおいて、前記管理センタサーバは、さらに、前記駐輪場運用コンピュータ及び／又は前記データセンタサーバの障害の内容を確認し、障害に対応する障害対応部を備えていることが好ましい。
【発明の効果】
【００２１】
本発明の駐輪場システムにより、従来、管理人によって行われていた入出場の管理が不要になるため、駐輪場内に常駐する管理人を必ずしも配置する必要がなく、省力化に寄与し、人件費を大幅に削減することができる。
【００２２】
本発明の駐輪場システムにより、２４時間いつでも入出場が可能な状況下にすることができるだけでなく、常時安心して駐輪場を利用することが可能となり、駐輪場内における盗難事件や青少年の非行化という問題もなくすことができる。
【００２３】
本発明の駐輪場システムは、自転車又は二輪車と利用者の組み合わせが適正であるか判定することができるため、自転車又は二輪車の不正利用及び盗難事件を効果的に防止することができる。
【００２４】
本発明の駐輪場システムは、駐輪場を利用することが可能である有効期限を更新する処理を自動的に行うことができるため、従来窓口で行っていた手続が不要となるだけでなく、データ入力作業が飛躍的に軽減され、入力ミスも防止することができる。
【００２５】
本発明の駐輪場システムは、駐輪場を利用することが可能である有効期限が経過している場合には、ゲートは閉じた状態となっているため、従来のように、管理人が有効期限切れの自転車又は二輪車に連絡札を取り付ける手間が省かれる。
【００２６】
本発明の駐輪場システムにより、駐輪場からの出場方法や駐輪場の使用料の支払方法を容易かつ迅速にすることもできる。
【００２７】
本発明の駐輪場システムにより、利用状況から売上までを一括管理することも可能となり、リアルタイムなデータ管理を実現することもできるようになる。
【００２８】
本発明の駐輪場システムにおいて、障害検知部、ゲート遠隔操作部、障害対応部を有する管理センタサーバを備えた場合には、障害の確認、ゲートの遠隔操作、障害の内容確認、障害の対応について行うことができ、駐輪場の遠隔集中管理が可能となる。
【発明を実施するための最良の形態】
【００２９】
以下、本発明をさらに詳細に説明する。図１は、本発明の第一の駐輪場システムの基本的な構成の一例を説明するものである。
【００３０】
駐輪場システム１は、駐輪場運用コンピュータ２と、駐輪場利用者情報データベース２ｅと、車用ゲート３と、車体情報読取装置３ａと、第一の利用者情報読取装置３ｂと、利用者専用ゲート４と、第二の利用者情報読取装置４ａと、精算機５と、データセンタサーバ６と、管理センタサーバ７とから構成されている。
【００３１】
駐輪場運用コンピュータ２と、精算機５と、データセンタサーバ６と、管理センタサーバ７は、ネットワーク８を介して相互に交信可能である。
【００３２】
駐輪場を運用する駐輪場運用コンピュータ２は、利用者判定処理部２ａと、車用ゲート開閉制御部２ｂと、利用者特定処理部２ｃと、利用者専用ゲート開閉制御部２ｄと、駐輪場利用者情報データベース２ｅとを備えている（図２）。
【００３３】
利用者判定処理部２ａは、車体情報読取装置３ａによって読み取られた情報と、第一の利用者情報読取装置３ｂによって読み取られた情報とに基づき、自転車又は二輪車と利用者の組み合わせが適正であるか判定し、車用ゲート３の開閉を決定する処理を行う、処理動作部である。
【００３４】
車体情報読取装置３ａは、駐輪場の利用者及び駐輪場への駐輪前後の自転車又は二輪車の通過する車用ゲート３の手前に設けられ、自転車又は二輪車に取り付けられた車体識別手段に記録された情報を読み取る。
【００３５】
車体情報読取装置３ａは、駐輪場運用コンピュータ２と相互に通信可能に接続されている。車体情報読取装置３ａとしては、例えば、ＲＦＩＤリーダ／ライタ、静止画カメラ読み取り装置、動画カメラ（ビデオカメラ）読み取り装置、Ｗｅｂカメラ装置、赤外線読み取り装置、レーザー光読み取り装置、マイクロ波読み取り装置などが挙げられる。
【００３６】
車体識別手段としては、非接触型データキャリアであって、自転車又は二輪車に固定できるものであれば特に限定されないが、例えば、ＲＦＩＤタグ、ＲＦＩＤラベル、ＩＣタグ、ＩＣラベル、バーコード（二次元コード及び三次元コード）、ラベルなどが挙げられる。車体識別手段は、自転車又は二輪車の任意の位置に自転車又は二輪車から容易に取り外しができない状態で取り付けられる。車体識別手段は、自転車又は二輪車から取り外した場合には、使用不能になるものが好ましい。車体識別手段には、自転車又は二輪車を特定する情報と、自転車又は二輪車の所有者又は使用者を特定する情報とが記録され、例えば、自転車又は二輪車の製造番号、製品番号、色、車種、製造メーカーコード、防犯登録番号、価格、利用者番号、所有者又は使用者の氏名、住所、電話番号、生年月日、性別、識別コード、郵便番号、携帯電話の電話番号、メールアドレス、住民票コード、住民基本台帳カード番号などの情報が記録されている。
【００３７】
第一の利用者情報読取装置３ｂは、駐輪場の利用者及び駐輪場への駐輪前後の自転車又は二輪車の通過する車用ゲート３の手前に設けられ、利用者の所持する利用者識別手段に記録された情報を読み取る。
【００３８】
第一の利用者情報読取装置３ｂは、駐輪場運用コンピュータ２と相互に通信可能に接続されている。第一の利用者情報読取装置３ｂとしては、例えば、ＲＦＩＤリーダ／ライタ、カードリーダー、静止画カメラ読み取り装置、動画カメラ（ビデオカメラ）読み取り装置、Ｗｅｂカメラ装置、赤外線読み取り装置、レーザー光読み取り装置、マイクロ波読み取り装置などが挙げられる。
【００３９】
利用者識別手段としては、例えば、非接触型データキャリアであるＲＦＩＤタグ、ＲＦＩＤカード、ＲＦＩＤキーホルダー、ＩＣタグ、ＩＣカード、ＩＣキーホルダーの他、指紋認証、手のひら認証（手のひら静脈認証）、声紋認証、光彩認証などの生体認証、公開鍵暗号方式を用いた個人認証などが挙げられる。利用者識別手段には、利用者番号、利用者の氏名、住所、電話番号、生年月日、性別、識別コード、駐輪場を利用することが可能である有効期限、ＲＦタグ製造管理番号などの情報が記録されている。
【００４０】
自転車又は二輪車と利用者の組み合わせが適正であるか判定し、車用ゲート３の開閉を決定する方法としては、例えば、車体情報読取装置３ａによって読み取られた情報と、第一の利用者情報読取装置３ｂによって読み取られた情報とが同一である場合に、組み合わせが適正であると判定し、車用ゲート３の開閉を決定する方法が簡易であるが、これに限定されず、公知の方法を使用することができる。
【００４１】
車用ゲート開閉制御部２ｂは、利用者判定処理部２ａからの指令により、車用ゲート３の開閉を制御する処理を行う、処理動作部である。
【００４２】
利用者特定処理部２ｃは、第二の利用者情報読取装置４ａによって読み取られた情報に基づき、利用者を特定し、利用者専用ゲート４の開閉を決定する処理を行う、処理動作部である。
【００４３】
第二の利用者情報読取装置４ａは、駐輪場の利用者が単独で通過する利用者専用ゲート４の手前に設けられ、利用者の所持する利用者識別手段に記録された情報を読み取る。
【００４４】
第二の利用者情報読取装置４ａは、駐輪場運用コンピュータ２と相互に通信可能に接続されている。第二の利用者情報読取装置４ａとしては、例えば、ＲＦＩＤリーダ／ライタ、静止画カメラ読み取り装置、動画カメラ（ビデオカメラ）読み取り装置、Ｗｅｂカメラ装置、赤外線読み取り装置、レーザー光読み取り装置、マイクロ波読み取り装置などが挙げられる。
【００４５】
利用者を特定し、利用者専用ゲート４の開閉を決定する方法としては、例えば、第二の利用者情報読取装置４ａによって読み取られた情報に基づき、駐輪場利用者情報データベース２ｅを検索し、その検索結果から利用者を特定し、利用者専用ゲート４の開閉を決定する方法が簡易であるが、これに限定されず、公知の方法を使用することができる。
【００４６】
利用者専用ゲート開閉制御部２ｄは、利用者特定処理部２ｃからの指令により、利用者専用ゲート４の開閉を制御する処理を行う、処理動作部である。
【００４７】
駐輪場利用者情報データベース２ｅは、駐輪場を利用する利用者に関する情報を記憶している。駐輪場利用者情報データベース２ｅには、少なくとも、車体識別手段及び利用者識別手段に記録されている情報が記憶されている。
【００４８】
図１においては、駐輪場利用者情報データベース２ｅは、駐輪場運用コンピュータ２の内部に設けられているが、駐輪場運用コンピュータ２と相互に通信可能に接続されていれば、駐輪場運用コンピュータ２の外部に設けられていてもよい。
【００４９】
なお、車用ゲート３及び利用者専用ゲート４の付近（例えば、場内側上部）に超音波センサを設置し、人間や自転車又は二輪車の存在を感知すると、ゲートシステムの安全装置が作動し、車用ゲート３及び／又は利用者専用ゲート４の開閉を停止する機能も備えていてもよい。
【００５０】
精算機５は、駐輪場を利用することが可能である有効期限を更新する処理を行う。本発明の駐輪場システムに用いることができる精算機５の一例を図３に示す。図３において、精算機５は、液晶表示パネル５ａ、紙幣投入部５ｂ、コイン投入部５ｃ、領収証及び釣銭返却部５ｄ、更新期間選択ボタン５ｅ、更新情報読み取り部５ｆ、精算機の内部に更新処理部５ｇ（不図示）を備えている。
【００５１】
更新情報読み取り部５ｆは、利用者識別手段に記録された情報を利用者識別手段の下方で読み取る方式が好ましい。利用者識別手段に記録された情報を利用者識別手段の下方で読み取った方が、利用者識別手段の側方や上方で読み取るより、データエラー等の頻度が少なくなるからである。なお、更新情報読み取り部５ｆは、例えば、ＲＦＩＤリーダ／ライタなどに接続される。
【００５２】
更新処理部５ｇは、更新情報読み取り部５ｆで読み取った情報に基づき駐輪場運用データベース６ａから情報を検索すると共に、利用者が更新ボタンにより指定した更新期間情報から、駐輪場の更新期間に応じた更新に必要な金額を計算して、液晶表示パネル５ａに更新に必要な金額の表示をする信号を送信し、更新金額の受領を確認すると、精算処理をして、領収書を発行し、駐輪場運用データベース６ａの情報を更新する処理を行う、処理動作部である。
【００５３】
データセンタサーバ６は、駐輪場の利用者及び／又は駐輪場への駐輪前後の自転車又は二輪車の入出場に関する情報を記録し、精算機５と連動して駐輪場を利用することが可能である有効期限に関する情報を記録し、管理する。
【００５４】
データセンタサーバ６は、駐輪場内、駐輪場外を問わず、いずれに設置してあっても差し支えない。
【００５５】
データセンタサーバ６は、有効期限に関する情報及び入出場に関する情報を記録する駐輪場運用データベース６ａを備えている。
【００５６】
管理センタサーバ７は、駐輪場を管理し、監視するだけでなく、日中はもちろん、無人となる深夜でも駐輪場の監視を一元的に管理するとともに、駐輪場にある機器を遠隔操作し、駐輪場運用コンピュータやデータセンタサーバの障害を検知して対応することが可能である。
【００５７】
管理センタサーバ７は、駐輪場利用者情報管理部７ａと、駐輪場情報管理部７ｂと、障害検知部７ｃと、ゲート遠隔操作部７ｄと、障害対応部７ｅとを備えている（図４）。
【００５８】
駐輪場利用者情報管理部７ａは、駐輪場の利用者に関する情報と駐輪場を利用することが可能である有効期限に関する情報を含む駐輪場利用者情報を記録し、管理する処理を行う、処理動作部である。
【００５９】
駐輪場情報管理部７ｂは、駐輪場の出入口に設置された車用ゲート３及び利用者専用ゲート４の開閉状況を記録し、管理する処理を行う、処理動作部である。
【００６０】
障害検知部７ｃは、駐輪場運用コンピュータ２及び／又はデータセンタサーバ６の障害を検知する処理を行う、処理動作部である。
【００６１】
ゲート遠隔操作部７ｄは、駐輪場の出入口に設置されたゲートを遠隔操作で開閉する処理を行う、処理動作部である。
【００６２】
ゲート遠隔操作部７ｄは、例えば、駐輪場運用コンピュータにおける利用者判定処理部、車用ゲート開閉制御部、利用者特定処理部、利用者専用ゲート開閉制御部及び駐輪場利用者情報データベースと同様の構成を備えている。
【００６３】
障害対応部７ｅは、駐輪場運用コンピュータ２及び／又はデータセンタサーバ６の障害の内容を確認し、障害に対応する処理を行う、処理動作部である。
【００６４】
次に、本発明の第二の駐輪場システムの一例を説明する。なお、上述した第一の駐輪場システムと同様の事項については、記載を省略する。
【００６５】
第二の駐輪場システムは、駐輪場運用コンピュータと、駐輪場利用者情報データベースと、通過ゲートと、車体情報読取装置と、利用者情報読取装置と、精算機と、データセンタサーバと、管理センタサーバとから構成されている。
【００６６】
通過ゲートは、上述した第一の駐輪場システムにおける車用ゲート３及び利用者専用ゲート４の両方の機能を備え、同一の作用効果を奏する。
【００６７】
利用者情報読取装置は、上述した第一の駐輪場システムにおける第一の利用者情報読取装置３ｂ及び第二の利用者情報読取装置４ａの両方の機能を備え、同一の作用効果を奏する。
【００６８】
駐輪場運用コンピュータと、車体情報読取装置、利用者情報読取装置、駐輪場利用者情報データベースのそれぞれは、相互に通信可能とされ、かつ駐輪場運用コンピュータと、精算機と、データセンタサーバと、管理センタサーバとはネットワークを介して相互に通信可能とされる。
【００６９】
駐輪場を運用する駐輪場運用コンピュータは、利用者判定処理部と、利用者特定処理部と、通過ゲート開閉制御部と、駐輪場利用者情報データベースとを備えている。
【００７０】
通過ゲート開閉制御部は、上述した第一の駐輪場システムにおける車用ゲート開閉制御部２ｂ及び利用者専用ゲート開閉制御部２ｄの両方の機能を備え、同一の作用効果を奏する。
【００７１】
従って、本発明の第二の駐輪場システムは、本発明の第一の駐輪場システムと同様の機能を有し、同一の作用効果を奏する。
【実施例】
【００７２】
まず、本発明の第一の駐輪場システムにおける車用ゲート３の自動開閉の一例を図５に基づき説明する。
【００７３】
駐輪場内にいる利用者が自転車と共に車用ゲートの手前付近に近づくと、車体情報読取装置３ａであるＲＦＩＤリーダ／ライタは、自転車に取り付けられたＲＦＩＤタグから識別コード、利用者番号を読み取り（ステップ１０１ａ）、読み取った情報を駐輪場運用コンピュータ２の利用者判定処理部２ａに送信する（ステップ１０２ａ）。
【００７４】
また、利用者が配布された従来の利用者カードに相当するＲＦＩＤキーホルダーを取り出し、第一の利用者情報読取装置３ｂであるＲＦＩＤリーダ／ライタの読み取り部分の近くで振りかざすと、ＲＦＩＤリーダ／ライタは、ＲＦＩＤキーホルダーから識別コード、利用者番号を読み取り（ステップ１０１ｂ）、読み取った情報を利用者判定処理部２ａに送信する（ステップ１０２ｂ）。
【００７５】
利用者判定処理部２ａでは、車体情報読取装置３ａによって読み取られた情報のうちの識別コード及び利用者番号と、第一の利用者情報読取装置３ｂによって読み取られた情報のうちの識別コード及び利用者番号とが一致するか判定する（ステップ１０３）。
【００７６】
両者の識別コード及び利用者番号が一致する場合（ステップ１０３／ＹＥＳ）には、利用者判定処理部２ａは、車用ゲート開閉制御部２ｂに対し、車用ゲート３を開く旨の信号を送信する（ステップ１０４）ため、車用ゲート３は開いた状態になり（ステップ１０５）、利用者と自転車は駐輪場から出ることができるようになる。
【００７７】
一方、両者の識別コード及び利用者番号が一致しない場合（ステップ１０３／ＮＯ）には、利用者判定処理部２ａは車用ゲート開閉制御部２ｂに対し、車用ゲート３を閉じる旨の信号を送信する（ステップ１０６）ため、車用ゲート３は閉じた状態になり（ステップ１０７）、利用者と自転車は駐輪場から出ることができなくなる。
【００７８】
なお、車用ゲート３を開閉した日時、識別コード及び利用者番号、利用者の氏名についての情報は、車用ゲート開閉制御部２ｂからデータセンタサーバ６の駐輪場運用データベース６ａと管理センタサーバ７の駐輪場利用者情報管理部７ｄに送られる（ステップ１０８）。
【００７９】
これにより、自転車の盗難事件の発生を防止することができる。
【００８０】
以上では、駐輪場内にいる利用者が自転車と共に車用ゲートを通過し、駐輪場から出る場合を説明したが、駐輪場外にいる利用者が自転車と共に車用ゲートを通過し、駐輪場に入る場合も同様である。
【００８１】
次に、本発明の第一の駐輪場システムにおける利用者専用ゲート４の自動開閉の一例を図６に基づき説明する。
【００８２】
駐輪場外にいる利用者が、利用者専用ゲート４の手前付近に近づいて、ＲＦＩＤキーホルダーを取り出し、第二の利用者情報読取装置４ａであるＲＦＩＤリーダ／ライタの読み取り部分の近くで振りかざすと、ＲＦＩＤリーダ／ライタは、ＲＦＩＤキーホルダーから識別コード、利用者番号、利用者の氏名を読み取り（ステップ２０１）、読み取った情報を駐輪場運用コンピュータ２の利用者特定処理部２ｃに送信する（ステップ２０２）。
【００８３】
利用者特定処理部２ｃでは、第二の利用者情報読取装置４ａによって読み取られた識別コード及び利用者番号が、駐輪場利用者情報データベース２ｅに登録されているか確認すると共に、第二の利用者情報読取装置４ａによって読み取られた識別コード及び利用者番号に基づき、駐輪場利用者情報データベース２ｅにある駐輪場を利用することが可能である有効期限に関する情報を検索し（ステップ２０３）、登録された利用者であり、かつ、有効期限が過ぎていないか判断する（ステップ２０４）。
【００８４】
登録された利用者であり、かつ、有効期限が過ぎていない場合（ステップ２０４／ＹＥＳ）には、利用者特定処理部２ｃは、利用者専用ゲート開閉制御部２ｄに対し、利用者専用ゲート４を開く旨の信号を送信する（ステップ２０５）ため、利用者専用ゲート４は開いた状態になり（ステップ２０６）、利用者は駐輪場に入ることができるようになる。ここで、利用者が通過しない場合には、利用者専用ゲート４は、例えば１０秒後に閉じた状態になる（ステップ２０７）。
【００８５】
一方、登録された利用者でないか又は有効期限が過ぎている場合（ステップ２０４／ＮＯ）には、利用者特定処理部２ｃは、利用者専用ゲート開閉制御部２ｄに対し、何らの信号も送信しないため、利用者専用ゲート４は閉じた状態を維持することから、利用者は駐輪場に入ることができなくなる。
【００８６】
なお、利用者専用ゲート４を開閉した日時、識別コード及び利用者番号、利用者の氏名は、利用者専用ゲート開閉制御部２ｄからデータセンタサーバ６の駐輪場運用データベース６ａ及び管理センタサーバ７の駐輪場利用者情報管理部７ａに送られる（ステップ２０８）。
【００８７】
このような仕組みにより、ＲＦＩＤキーホルダーを持たない人は、駐輪場への入場が不可能になるため、ゲート内のセキュリティを向上させることができる。
【００８８】
以上では、駐輪場外にいる利用者が利用者専用ゲートを通過して駐輪場に入る場合を説明したが、駐輪場内にいる利用者が利用者専用ゲートを通過して駐輪場から出る場合も同様である。
【００８９】
本発明の第二の駐輪場システムにおいても、上述した第一の駐輪場システムと同様の流れにより自動開閉が可能である。
【００９０】
そして、本発明の駐輪場システムにおいて、駐輪場を利用することが可能である有効期限を更新する場合における精算機５による処理の一例を図７に基づき説明する。
【００９１】
利用者が所有するＲＦＩＤタグが精算機５の更新情報読み取り部５ｆのトレー上に置かれると、更新情報読み取り部５ｆは、ＲＦＩＤタグから、利用者番号、利用者の氏名、有効期限についての情報を読み取り（ステップ３０１）、読み取った情報を更新処理部５ｇに送信する。
【００９２】
利用者によって更新期間選択ボタン５ｅが押されると、更新期間情報が更新処理部５ｇに送信される（ステップ３０２）。
【００９３】
更新処理部５ｇは、取得した、利用者番号、利用者の氏名、有効期限についての情報に基づき、精算機５と連動しているデータベースサーバ６の駐輪場運用データベース６ａにある情報を検索し（ステップ３０３）、利用者を特定する。
【００９４】
その後、更新処理部５ｇは、取得した更新期間情報に基づき、利用者番号、利用者の氏名、有効期限についての情報を適宜参考にして、駐輪場の更新期間に応じた更新金額を計算して、液晶表示パネル５ａに更新に必要な金額の表示をする信号を送信する（ステップ３０４）ため、液晶表示パネル５ａに更新に必要な金額が表示される。利用者が紙幣投入部５ｂ及び／又コイン投入部５ｃにお金を投入すると（ステップ３０５）、更新処理部５ｇでは、利用者が適切な金額を支払ったかを含む精算処理が行われ（ステップ３０６）、領収書を発行する処理が行われる（ステップ３０７）。
【００９５】
そして、更新処理部５ｇは、データベースサーバ６の駐輪場運用データベース６ａにアクセスし、有効期限を書き換え（ステップ３０８）、有効期間の更新手続が完了する。
【００９６】
これにより、有効期間の更新手続の時間短縮と効率化が可能となり、駐輪場からの出場方法や駐輪場の使用料の支払方法も容易かつ迅速となる。
【００９７】
なお、データベースとの連携により、売上計上についても上記の更新処理で自動生成することが可能である。例えば、データベースサーバ側でデータベース更新処理情報に基づいて、日次、月次、年次による集計管理を行い、売上計上に関わる報告書の自動作成を行うことが可能となり、あらかじめ設定した任意の利用者情報（性別、年齢層、郵便番号、有効期限など）によって報告書の自動作成を行うことも可能になる。このほかデータベースサーバに蓄積された利用者情報と、ＣＲＭ（カスタマ・リレーション・マネージメント）システムとの連携も行うことが可能である。
【００９８】
本発明の駐輪場システムにおいて、障害発生時における管理センタサーバ７のゲート遠隔操作及び障害対応についての処理の一例を図８に基づき説明する。
【００９９】
通常、管理センタサーバ７の障害検知部７ｃでは、５分ごとに、駐輪場運用コンピュータ２及びデータセンタサーバ６に対して確認信号を送信し（ステップ４０１）、信号を受信した駐輪場運用コンピュータ２及びデータセンタサーバ６から送られた応答信号を受信する（ステップ４０２）。
【０１００】
障害検知部７ｃにおいて、駐輪場運用コンピュータ２及び／又はデータセンタサーバ６から応答信号を受信せず、障害検知部７ｃで受信した応答信号が異常である場合には、障害検知部７ｃは、駐輪場運用コンピュータ２及び／又はデータセンタサーバ６の障害を検知したと判断し（ステップ４０３）、ゲート遠隔操作部７ｄに対しては、ゲートの開閉を遠隔操作を行う旨の信号を送信し（ステップ４０４）、データセンタサーバ６の障害に対しては、管理センタサーバ７に接続された予備データセンタサーバの電源を入れる旨の信号を送信する（ステップ４０５）。
【０１０１】
ゲート遠隔操作部７ｄは、利用者を判定する処理又は利用者を特定する処理をして、遠隔操作によりゲートの開閉を行う（ステップ４０６）。
【０１０２】
そして、障害対応部７ｅは、駐輪場運用コンピュータ２及び／又はデータセンタサーバ６と交信して、対話型により障害の内容を確認し（ステップ４０７）、対話型により障害に対応する処理を行う（ステップ４０８）。
【０１０３】
これにより、障害の確認、ゲートの遠隔操作、障害の内容確認、障害の対応を行うことができ、駐輪場の遠隔集中管理が可能となる。
【図面の簡単な説明】
【０１０４】
【図１】本発明の第一の駐輪場システムの基本的な構成を説明する概念図である。
【図２】本発明の駐輪場システムに用いられる駐輪場運用コンピュータの概略構成を説明する図である。
【図３】本発明の駐輪場システムに用いられる精算機の一例を示す概略図である。
【図４】本発明の駐輪場システムに用いられる管理センタサーバの概略構成を説明する図である。
【図５】本発明の第一の駐輪場システムにおける車用ゲートの自動開閉の一例を説明するフロー図である。
【図６】本発明の第一の駐輪場システムにおける利用者専用ゲートの自動開閉の一例を説明するフロー図である。
【図７】有効期限を更新する場合における精算機による処理の一例を説明するフロー図である。
【図８】障害発生時における管理センタサーバ７のゲート遠隔操作及び障害対応についての処理の一例を説明するフロー図である。
【符号の説明】
【０１０５】
１    駐輪場システム
２    駐輪場運用コンピュータ
２ａ  利用者判定処理部
２ｂ  車用ゲート開閉制御部
２ｃ  利用者特定処理部
２ｄ  利用者専用ゲート開閉制御部
２ｅ  駐輪場利用者情報データベース
３    車用ゲート
３ａ  車体情報読取装置
３ｂ  第一の利用者情報読取装置
４    利用者専用ゲート
４ａ  第二の利用者情報読取装置
５    精算機
５ａ  液晶表示パネル
５ｂ  紙幣投入部
５ｃ  コイン投入部
５ｄ  領収証及び釣銭返却部
５ｅ  更新期間選択ボタン
５ｆ  更新情報読み取り部
５ｇ  更新処理部
６    データセンタサーバ
６ａ  駐輪場運用データベース
７    管理センタサーバ
７ａ  駐輪場利用者情報管理部
７ｂ  駐輪場情報管理部
７ｃ  障害検知部
７ｄ  ゲート遠隔操作部
７ｅ  障害対応部
８    ネットワーク
【図１】
2006154932.tif 000003
【図２】
2006154932.tif 000004
【図３】
2006154932.tif 000005
【図４】
2006154932.tif 000006
【図５】
2006154932.tif 000007
【図６】
2006154932.tif 000008
【図７】
2006154932.tif 000009
【図８】
2006154932.tif 000010